(57)【要約】有線網及び無線網の組合せに接続された無線装置を用いて発呼者ＩＤ／アンサリングマシンから発呼者情報及びメッセージにリモートにアクセスする方法である。発呼者ＩＤ情報及び／又はメッセージに対する要求は、無線装置及び発呼者ＩＤ／アンサリングマシンのモデムを夫々用いて無線装置から発呼者ＩＤ／アンサリングマシンへ送信される。発呼者ＩＤ情報及び／又はメッセージは、要求に応じて、モデムを用いて発呼者ＩＤ／アンサリングマシンから無線装置へ送信される。発呼者ＩＤ情報は、後の表示のために無線装置に格納されうる。
2005518154.tif 000002
【特許請求の範囲】
【請求項１】
発呼者ＩＤ情報にリモートにアクセスする方法であって、
無線装置によって発呼者ＩＤ／アンサリングマシンへネットワーク接続を確立する段階と、
前記無線装置により、発呼者ＩＤ情報又はメッセージのうちの少なくとも一方に対する要求を発呼者ＩＤ／アンサリングマシンへ送信する段階と、
前記無線装置により、前記発呼者ＩＤ情報又は前記メッセージのうちの少なくとも一方を前記発呼者ＩＤ／アンサリングマシンから受信する段階と、
前記発呼者ＩＤ情報が受信されると、続く表示のために少なくとも前記発呼者ＩＤ情報を前記無線装置に格納する段階とを有する、方法。
【請求項２】
後の再生のために前記メッセージを前記無線装置に格納する段階を更に有する、請求項１記載の方法。
【請求項３】
前記無線装置と前記発呼者ＩＤ／アンサリングマシンの間の接続の終了に続き、前記発呼者ＩＤ情報を前記無線装置上に表示する段階を更に有する、請求項１記載の方法。
【請求項４】
前記無線装置による前記発呼者ＩＤ／アンサリングマシンへの接続の終了に続き、前記メッセージを前記無線装置上で再生する段階を更に有する、請求項１記載の方法。
【請求項５】
前記無線装置による前記発呼者ＩＤ／アンサリングマシンへの接続中、前記メッセージを前記無線装置上で再生する段階を更に有する、請求項１記載の方法。
【請求項６】
前記無線装置に格納された発呼者ＩＤエントリを選択したものに対応するユーザ入力を前記無線装置により受信する段階と、
前記発呼者ＩＤエントリに対応する個人へ自動的に発呼する段階とを更に有する、請求項１記載の方法。
【請求項７】
前記無線装置は携帯電話機である、請求項１記載の方法。
【請求項８】
前記無線装置は携帯情報端末（ＰＤＡ）である、請求項１記載の方法。
【請求項９】
前記発呼者ＩＤ情報は、呼の時刻、呼の日付、発呼者の名前、及び発呼者の電話番号のうちの少なくとも１つを含む、請求項１記載の方法。
【請求項１０】
有線網と無線網の組合せはセルラー電話網を含む、請求項１記載の方法。
【請求項１１】
発呼者ＩＤ情報及びメッセージにリモートにアクセスする無線装置であって、
発呼者ＩＤ情報及びメッセージのうちの少なくとも一方に対する要求をネットワークを通じて送信する送信器と、
前記発呼者ＩＤ情報及びメッセージのうちの少なくとも一方を受信する受信器と、
少なくとも前記発呼者ＩＤ情報を格納するメモリとを有する、無線装置。
【請求項１２】
前記無線装置のメモリは、後の再生用のメッセージを更に格納する、請求項１１記載の無線装置。
【請求項１３】
前記無線装置と前記発呼者ＩＤ／アンサリングマシンの間の接続の終了の後に前記発呼者ＩＤ情報を表示するディスプレイを更に有する、請求項１１記載の無線装置。
【請求項１４】
前記無線装置と前記発呼者ＩＤ／アンサリングマシンの間の接続の終了の後に前記メッセージを再生する少なくとも１つのスピーカを更に有する、請求項１１記載の無線装置。
【請求項１５】
前記無線装置と前記発呼者ＩＤ／アンサリングマシンの間の接続中、前記メッセージを再生する少なくとも１つのスピーカを更に有する、請求項１１記載の無線装置。
【請求項１６】
前記受信器は、前記無線装置に格納された発呼者ＩＤエントリを選択したものに対応するユーザ入力を受信し、前記発呼者ＩＤエントリに対応する個人へ自動的に発呼するようにされる、請求項１１記載の無線装置。
【請求項１７】
前記無線装置は携帯電話機である、請求項１１記載の無線装置。
【請求項１８】
前記無線装置は携帯情報端末（ＰＤＡ）である、請求項１１記載の無線装置。
【請求項１９】
前記発呼者ＩＤ情報は、発呼の時刻、発呼の日付、発呼者の名前、及び発呼者の電話番号のうちの少なくとも１つを含む、請求項１１記載の無線装置。
【請求項２０】
前記ネットワークは、セルラー電話網を含む有線網と無線網の組合せである、請求項１１記載の無線装置。
【発明の詳細な説明】
【技術分野】
【０００１】
本発明は、概して移動通信に係り、特に、無線網に接続された無線装置を用いた呼情報及びメッセージに対するリモートアクセスに関する。
【背景技術】
【０００２】
従来のアンサリングマシンは、一般的には、以前に記録された音声メッセージをユーザが再生することを可能とする。このような場合、ユーザは、自宅の電話番号に電話をかけ、アンサリングマシンへ命令を発行するために電話機のキーパッドからＤＴＭＦトーンを用いて自分のメッセージを再生する。しかしながら、従来のアンサリングマシンは、ユーザが発呼者ＩＤ情報（日付、時刻、発呼者の電話番号、発呼者の名前）を検索することを可能とするものではなく、メッセージが残されなかった呼（しかしユーザは呼の日付及び時刻、並びに、発呼者の電話番号及び名前を知りたいことがある）に対する情報を検索することを可能とするものでもない。また、メッセージは、電話中にアンサリングマシンによって再生されるのみであり、アンサリングマシンとの接続が切断された後は聴くことができない。
【発明の開示】
【発明が解決しようとする課題】
【０００３】
従って、発呼者ＩＤ情報及びメッセージをリモートに検索する方法及び／又はシステムが提供されることが望まれ、非常に有利であろう。この方法及び／又はシステムは、発呼者が被呼者へメッセージを残したか否かに関わらず、発呼者ＩＤ情報のリモートな検索を可能とするはずである。
【課題を解決するための手段】
【０００４】
上述の課題、並びに、他の関連する従来技術の課題は、無線ネットワークに接続された無線装置を用いて呼情報（例えば発呼者ＩＤ情報）及びメッセージへのリモートアクセスを与える本発明によって解決される。特に、本発明は、無線ネットワーク（例えばセルラー電話網）への接続により無線装置を用いて呼情報及びメッセージをダウンロード及び再生するために、ユーザが自宅の発呼者ＩＤ／アンサリングマシンとリモートに通信することを可能とする。
【０００５】
無線装置へ情報をダウンロードすることにより、ユーザは自分の余裕があるときにメッセージ及び発呼者ＩＤ情報を見ること／聴くことができ、情報はユーザの無線装置にダウンロードされローカルに格納されているため、情報を聴くためにネットワークに接続する必要はない（例えば、ユーザは飛行機に乗っている場合がある）。また、ユーザは、取り損なった呼についてのＩＤ情報にアクセスすることができ、これは、現在の既存の製品ではできない。
【０００６】
本発明の面によれば、有線網と無線網の組合せに接続された無線装置を用いて、発呼者ＩＤ／アンサリングマシンからの発呼者ＩＤ情報及びメッセージにリモートにアクセスする方法が提供される。方法は、無線装置から発呼者ＩＤ／アンサリングマシンへの接続を確立する段階を有する。発呼者ＩＤ情報及びメッセージのうちの少なくとも一方に対する要求は、無線装置のモデム及び発呼者ＩＤ／アンサリングマシンの他のモデムを夫々用いて、無線装置から発呼者ＩＤ／アンサリングマシンへ送信される。発呼者ＩＤ情報及びメッセージのうちの少なくとも一方は、要求に応じて、発呼者ＩＤ／アンサリングマシンの他のモデム及び無線装置のモデムを用いて、発呼者ＩＤ／アンサリングマシンから無線電話機へ送信される。発呼者ＩＤ情報及びメッセージのうちの少なくとも一方は、無線装置によって受信される。少なくとも発呼者ＩＤ情報は、発呼者ＩＤ情報が受信されると、後の表示のために無線装置に格納される。
【発明を実施するための最良の形態】
【０００７】
本発明の上述及び他の面、特徴、及び利点は、添付の図面を参照して、以下の望ましい実施例の詳細な説明を読むことにより明らかとなろう。本発明は、無線網に接続された無線装置を用いた呼情報（例えば、発呼者ＩＤ（caller ID）情報）及びメッセージに対するリモートアクセスに関する。本発明の例示的な実施例によれば、ユーザは、送信器及び受信器を含む携帯電話機といった無線装置から自宅のアンサリングマシンに電話をかけることができ、発呼者ＩＤ及びメッセージは、後の再生（携帯電話機がネットワークに接続されていないときであっても）のために携帯電話機にダウンロードされる。本発明は、様々な形のハードウエア、ソフトウエア、ファームウエア、専用プロセッサ、又はそれらの組合せ上で実現されうる。望ましくは、本発明は、ハードウエア及びソフトウエアの組合せとして実現される。更に、ソフトウエアは、プログラム記憶装置上に有形に具現化されたアプリケーションプログラムとして実現されることが望ましい。アプリケーションプログラムは、任意の適当なアーキテクチャを有するマシンにアップロードされ、実行されてもよい。望ましくは、マシンは、１つ又はそれ以上の中央処理装置（ＣＰＵ）、ランダムアクセスメモリ（ＲＡＭ）及び入出力（Ｉ／Ｏ）インタフェースといったハードウエアを有するコンピュータプラットフォーム上の実現される。コンピュータプラットフォームはまた、オペレーティングシステム及びマイクロ命令コードを含む。ここに説明する様々な処理及び機能は、マイクロ命令符号の一部であってもよく、又は、オペレーティングシステムを介して実行されるアプリケーションプログラムの一部であってもよい（又は、それらの組合せであってもよい）。更に、追加的なデータ記憶装置及び印刷装置といった様々な他の周辺装置がコンピュータプラットフォームに接続されうる。
【０００８】
更に、添付の図面に示されるシステムを構成する構成要素及び方法の段階のうちの幾つかは、ソフトウエアで実現されてもよく、システム構成要素（又は方法の段階）の間の実際の接続は、本発明がどのようにプログラムされるかによって異なりうる。本願の教示するところにより、当業者は、本発明の実施又は形態と同じ又は同様のものを考えることが可能であろう。
【０００９】
図１は、本発明の例示的な実施例により本発明が適用されうるコンピュータ処理システム１００を示すブロック図である。コンピュータ処理システム１００は、システムバス１０４を介して他の構成要素に動作上結合される少なくとも１つのプロセッサ（ＣＰＵ）１０２を含む。読み出し専用メモリ（ＲＯＭ）１０６、ランダムアクセスメモリ（ＲＡＭ）１０８、ディスプレイアダプタ１１０、入出力（Ｉ／Ｏ）アダプタ１１２、サウンドアダプタ１１３、及びユーザインタフェースアダプタ１１４は、システムバス１０４に動作上結合される。
【００１０】
表示装置１１６は、ディスプレイアダプタ１１０によりシステムバス１０４に動作上結合される。ディスク記憶装置（例えば磁気又は光ディスク記憶装置）１１８は、Ｉ／Ｏアダプタ１１２によってシステムバス１０４に動作上結合される。
【００１１】
マウス１２０及びキーボード１２２は、ユーザインタフェースアダプタ１１４によりシステムバス１０４に動作上結合される。マウス１２０及びキーボード１２２は、コンピュータ処理システム１００へ情報を入力するため／コンピュータ処理システム１００から情報を出力するために使用されうる。
【００１２】
スピーカ１３２は、サウンドアダプタ１１４によってシステムバス１０４に動作上結合される。コンピュータ処理システム１００は、図１中に１つのスピーカ１３２を含むものとして示されているが、本発明はこれに限られるものではなく、従って、コンピュータ処理システム１００には１つよりも多い（又はゼロ個の）スピーカが含まれてもよい。更に、本発明の教示するところにより、当業者は、本発明の趣旨及び範囲を維持しつつ、図１に示すものを含む本発明の要素の様々な他の形態及び実施を考えるであろう。
【００１３】
図２は、本発明の例示的な実施例により、本発明が適用されうる通信システム２００を示すブロック図である。通信システム２００の要素の多くは、それに統合されたコンピュータ処理システムを有することが認められるであろう。このようなコンピュータ処理システムは、望ましくは、図１に示すものと同じ又は同様である（１つ又はそれ以上の同じ又は同様の要素を有する）ことが望ましい。しかしながら、コンピュータ処理システムの他の変形は、本発明の趣旨及び範囲を維持しつつ、関連する技術分野における通常の知識を有する者によって容易に使用されうるであろう。
【００１４】
通信システム２００は、データ送信及び受信用ハードウエアを有する無線装置２１０、無線網２２０（例えばセルラー電話又は他の無線網）、有線電話網２３０、及び発呼者ＩＤ／アンサリングマシン２４０を含む。
【００１５】
発呼者ＩＤ／アンサリングマシン２４０は、自宅、事務所、又は無線装置２１０のユーザに対応する他の場所に配置される。発呼者ＩＤ／アンサリングマシン２４０は、別個の発呼者ＩＤ装置と別個のアンサリングマシンから構成されてもよく、又は、図２に示されるように一体化された装置であってもよいことが認められる。本発明の教示するところにより、当業者は、本発明の趣旨及び範囲を維持しつつ、図２に示すものを含む本発明の要素の様々な他の変形及び形態を考えるであろう。
【００１６】
発呼者ＩＤ／アンサリングマシン２４０は、ユーザへのいかなる呼についても発呼者ＩＤ情報を発生する。発呼者ＩＤ情報は、発呼者がメッセージを残したかどうかにかかわらず、発呼者ＩＤ／アンサリングマシン２４０によって発生されうる。
【００１７】
無線装置２１０は、携帯電話機、無線携帯情報端末（ＰＤＡ）、又は当業者によって容易に確かめられるように本発明を実現するのに必要な機能を有する他の装置でありうる。
【００１８】
発呼者ＩＤ／アンサリングマシン２４０及び無線装置２１０は、夫々が内部モデム（図示せず）を含むことが望ましい。他のデータ送信器及び受信器技術もまた使用されうる。発呼者ＩＤ／アンサリングマシン２４０中の受信器及び送信器又はモデムは、発呼者ＩＤ／アンサリングマシン２４０がネットワーク２２０、２３０を介して無線装置２１０と通信することを可能とする。無線装置２１０内の受信器及び送信器は、無線装置２１０がネットワーク２２０、２３０を介して発呼者ＩＤ／アンサリングマシン２４０と通信することを可能とする。
【００１９】
本発明の１つの例示的な実施例では、無線装置２１０は、呼情報（日付、時刻、発呼者名、発呼者番号）を格納し表示することが可能となり、一方で、発呼者ＩＤ／アンサリングマシン２４０と接続されている間はメッセージを再生することが可能であるだけである。本発明の他の例示的な実施例では、無線装置２１０は、後の再生のためにやはりメッセージを格納する追加的なメモリを含む。
【００２０】
無線装置２１０は、発呼者ＩＤエントリに対応する個人にすぐに発呼するために、エントリのリスト上で発呼者ＩＤエントリをクリックする可能性をユーザに与えてもよい。
【００２１】
本発明の更なる他の例示的な実施例では、無線装置２１０は、壁面の電話用ジャックに挿入することにより、有線電話網２３０を通じて発呼者ＩＤ／アンサリングマシン２４０に直接接続しうる。
【００２２】
図３は、本発明の例示的な実施例により、有線網及び無線網の組合せに接続された無線装置を用いて発呼者ＩＤ／アンサリングマシンから発呼者ＩＤ情報及びメッセージにリモートにアクセスする方法を示す図である。
【００２３】
接続は、無線装置２１０（例えば、携帯電話機、ＰＤＡ等）から発呼者ＩＤ／アンサリングマシン２４０に対して確立される（ステップ３０５）。発呼者ＩＤ情報（呼の時刻、呼の日付、発呼者の名前、発呼者の電話番号）及び／又はメッセージに対する要求は、無線装置２１０のモデム２９０及び発呼者ＩＤ／アンサリングマシン２４０の他のモデム２９０を夫々用いて無線装置２１０から発呼者ＩＤ／アンサリングマシン２４０へ送信される（ステップ３１０）。要求は、無線装置２１０から発呼者ＩＤ／アンサリングマシン２４０により受信される（ステップ３１５）。
【００２４】
発呼者ＩＤ情報及び／又はメッセージは、要求に応じて、発呼者ＩＤ／アンサリングマシン２４０の他のモデム２９０及び無線装置２１０のモデム２９０を用いて、発呼者ＩＤ／アンサリングマシン２４０から無線装置２１０へ送信される（ステップ３２０）。発呼者ＩＤ情報及び／又はメッセージは、無線装置２１０によって受信される（ステップ３２５）。発呼者ＩＤ情報は、発呼者ＩＤ情報が受信されると、後の表示のために無線装置２１０のメモリに格納される（ステップ３３０）。任意に、メッセージもまた、後の再生のために無線装置２１０のメモリに格納される（ステップ３３５）。
【００２５】
ステップ３３０においてメッセージが格納されない場合は、メッセージは、無線装置２１０と発呼者ＩＤ／アンサリングマシン２４０との間の接続中、無線装置２１０上で再生される（ステップ３４０）。しかしながら、ステップ３３０においてメッセージが格納されない場合、メッセージは、無線装置２１０と発呼者ＩＤ／アンサリングマシン２４０との間の接続の終了の後に、無線装置２１０上で再生される（ステップ３４５）。もちろん、当業者によって容易にわかるように、本発明の趣旨及び範囲を維持しつつ他の配置もまた用いられ得る。例えば、メッセージは、ステップ３３５において格納され、接続中に再生され、接続の終了の後に再び再生されうる。
【００２６】
発呼者ＩＤ情報は、無線装置２１０と発呼者ＩＤ／アンサリングマシン２４０との間の接続の終了の後に、無線装置２１０のディスプレイ上に表示される（ステップ３５０）。本発明により無線装置２１０に格納されるいかなるもの（例えば、メッセージ及び／又は発呼者ＩＤ情報）も、無線装置２１０のユーザによって望まれる回数だけ再び再生又は再び表示されうる。
【００２７】
無線装置２１０に格納された発呼者ＩＤエントリを選択したものに対応するユーザ入力は、無線装置２１０によって受信される（ステップ３５５）。発呼者ＩＤエントリに対応する個人へ自動的に発呼される（ステップ３６０）。
【００２８】
いずれのメッセージ及び／又は発呼者ＩＤ情報も、無線装置２１０のユーザによって望まれるように再び再生又は再び表示されうる。
【００２９】
本願では、添付の図面を参照して例示的な実施例について説明したが、本発明は厳密にこれらの実施例に限られるものではなく、本発明の範囲又は趣旨を逸脱することなく、当業者によれば様々な他の変更及び修正がなされうることが理解されるべきである。このような全ての変更及び修正は、特許請求の範囲によって定義される本発明の範囲に含まれるべきであることが意図される。
【図面の簡単な説明】
【００３０】
【図１】本発明の例示的な実施例により本発明が適用されるコンピュータ処理システム１００を示すブロック図である。
【図２】本発明の例示的な実施例により本発明が適用されうる通信システム２００を示すブロック図である。
【図３】本発明の例示的な実施例により、有線網及び無線網の組合せに接続された無線装置を用いて発呼者ＩＤ／アンサリングマシンから発呼者ＩＤ情報及びメッセージへリモートにアクセスする方法を示すフローチャートである。
【図１】
2005518154.tif 000003
【図２】
2005518154.tif 000004
【図３】
2005518154.tif 000005
【国際調査報告】
2005518154.tif 000006